(57)【要約】【課題】本考案は、風が強く吹いても洗濯物を吊り下げたハンガーが物干し竿をスライド移動することが無いので、ハンガー同士の間隔を維持することができて洗濯物を効率的に乾かすことができるハンガー引掛洗濯バサミを提供する。【解決手段】ハンガー引掛洗濯バサミ１０の洗濯バサミ本体１２は第１洗濯バサミ構成体１４と第２洗濯バサミ構成体１６とリング状バネ１８とから構成されている。前記第１洗濯バサミ構成体１４と第２洗濯バサミ構成体１６に貫通形成されたバネ取付開口３４には前記リング状バネ１８が配設されている。このリング状バネ１８にはハンガー引掛用リング４０が着脱可能に取り付けられている。【選択図】　　図１
0003099210.tif 000002
【実用新案登録請求の範囲】
【請求項１】
物干し竿等を挟持できる洗濯バサミ本体と、この洗濯バサミ本体に取り付けられると共にハンガーのフック部を引っ掛けることができるハンガー引掛用環体と、を有してなることを特徴とするハンガー引掛洗濯バサミ。
【請求項２】
互いに対向して配設された第１洗濯バサミ構成体と第２洗濯バサミ構成体を備えてなる洗濯バサミ本体と、前記第１洗濯バサミ構成体に形成された第１把持部と、前記第２洗濯バサミ構成体に形成された第２把持部と、前記第１洗濯バサミ構成体に形成された第１挟持爪と、前記第２洗濯バサミ構成体に形成された第２挟持爪と、前記第１挟持爪の先端部と第２挟持爪の先端部を常時接近方向に付勢するバネと、前記洗濯バサミ本体に取り付けられてハンガーのフック部を引っ掛けることができるハンガー引掛用環体と、を有してなることを特徴とするハンガー引掛洗濯バサミ。
【請求項３】
互いに対向して配設される第１洗濯バサミ構成体及び第２洗濯バサミ構成体と、前記第１洗濯バサミ構成体に形成された第１把持部と、前記第２洗濯バサミ構成体に形成された第２把持部と、前記第１洗濯バサミ構成体に間隔を配して複数形成された第１挟持爪と、前記第２洗濯バサミ構成体に間隔を配して複数形成された第２挟持爪と、前記第１洗濯バサミ構成体及び第２洗濯バサミ構成体に貫通形成された複数のバネ取付開口と、これらバネ取付開口に配設されると共に一端部が前記第１洗濯バサミ構成体に当接し他端部が前記第２洗濯バサミ構成体に当接して前記第１挟持爪の先端部と第２挟持爪の先端部を常時接近方向に付勢するリング状バネと、このリング状バネに取り付けられてハンガーのフック部を引っ掛けることができるハンガー引掛用環体と、を有してなることを特徴とするハンガー引掛洗濯バサミ。
【考案の詳細な説明】
【０００１】
【考案の属する技術分野】
本考案は、主に物干し竿等に挟持させた状態にしておいて洗濯物を吊り下げたハンガーを引掛けておくことができるハンガー引掛洗濯バサミに関する。
【０００２】
【従来の技術】
ハンガーを利用して洗濯物を干す場合は、ハンガーに洗濯物を吊り下げてハンガーの鉤状のフック部を物干し竿に引っ掛けて係止させている。
しかし、前記ハンガーのフック部は物干し竿に引っ掛かっているだけであるので、少し強い風が吹くとハンガーのフック部は物干し竿をスライド移動してしまう。
このため、物干し竿に複数のハンガーを引掛けた場合は物干し竿の一端部に洗濯物を吊り下げたハンガーが吹き寄せられて重なり合ってしまう。
この結果、洗濯物同士がかたまった状態になり、洗濯物が乾き難くなるという不具合がある。
【０００３】
【考案が解決しようとする課題】
本考案は上記事実に鑑みなされたものであり、風が強く吹いても洗濯物を吊り下げたハンガーが物干し竿をスライド移動することが無いので、ハンガー同士の間隔を維持することができて洗濯物を効率的に乾かすことができるハンガー引掛洗濯バサミを提供するものである。
【０００４】
【課題を解決するための手段】
請求項１の考案は、物干し竿等を挟持できる洗濯バサミ本体と、この洗濯バサミ本体に取り付けられると共にハンガーのフック部を引っ掛けることができるハンガー引掛用環体と、を有してなることを特徴としている。
請求項２の考案は、互いに対向して配設された第１洗濯バサミ構成体と第２洗濯バサミ構成体を備えてなる洗濯バサミ本体と、前記第１洗濯バサミ構成体に形成された第１把持部と、前記第２洗濯バサミ構成体に形成された第２把持部と、前記第１洗濯バサミ構成体に形成された第１挟持爪と、前記第２洗濯バサミ構成体に形成された第２挟持爪と、前記第１挟持爪の先端部と第２挟持爪の先端部を常時接近方向に付勢するバネと、前記洗濯バサミ本体に取り付けられてハンガーのフック部を引っ掛けることができるハンガー引掛用環体と、を有してなることを特徴としている。
請求項３の考案は、互いに対向して配設される第１洗濯バサミ構成体及び第２洗濯バサミ構成体と、前記第１洗濯バサミ構成体に形成された第１把持部と、前記第２洗濯バサミ構成体に形成された第２把持部と、前記第１洗濯バサミ構成体に間隔を配して複数形成された第１挟持爪と、前記第２洗濯バサミ構成体に間隔を配して複数形成された第２挟持爪と、前記第１洗濯バサミ構成体及び第２洗濯バサミ構成体に貫通形成された複数のバネ取付開口と、これらバネ取付開口に配設されると共に一端部が前記第１洗濯バサミ構成体に当接し他端部が前記第２洗濯バサミ構成体に当接して前記第１挟持爪の先端部と第２挟持爪の先端部を常時接近方向に付勢するリング状バネと、このリング状バネに取り付けられてハンガーのフック部を引っ掛けることができるハンガー引掛用環体と、を有してなることを特徴としている。
【０００５】
【考案の実施の形態】
図１〜図３には本考案に係るハンガー引掛洗濯バサミの一実施例が示されている。
図１及び図２に示されるように、本考案のハンガー引掛洗濯バサミ１０の洗濯バサミ本体１２は合成樹脂で形成されている。図２に示されるように、この洗濯バサミ本体１２は第１洗濯バサミ構成体１４と第２洗濯バサミ構成体１６と３個のリング状バネ１８とから構成されている。
前記第１洗濯バサミ構成体１４と第２洗濯バサミ構成体１６は略同一形状に形成され、第１洗濯バサミ構成体１４と第２洗濯バサミ構成体１６は互いに対向して配設されている。
図３に示されるように、前記第１洗濯バサミ構成体１４の中間部の内側には第１枢支部２０が突設形成され、前記第２洗濯バサミ構成体１６の中間部の内側には第２枢支部２２が突設形成され、第１枢支部２０と第２枢支部２２を中心にして第１洗濯バサミ構成体１４と第２洗濯バサミ構成体１６は回動可能になっている。
図２に示されるように、前記第１洗濯バサミ構成体１４には第１把持部２４が形成され、第２洗濯バサミ構成体１６には第２把持部２６が形成されている。これら第１把持部２４と第２把持部２６の外側面にはそれぞれ凹部２８（第２把持部２６のみの凹部２８を示す）が形成され、第１把持部２４と第２把持部２６を把持し易くなっている。
また、前記第１洗濯バサミ構成体１４には第１挟持爪３０が間隔を有して３個連続形成され、前記第２洗濯バサミ構成体１６には第２挟持爪３２が間隔を有して３個連続形成されている。
これら第１挟持爪３０及び第２挟持爪３２は側面視略円弧状に形成されると共に互いに対向して形成され、第１挟持爪３０の先端部３０Ａと第２挟持爪３２の先端部３２Ａは互いに当接するようになっている。
前記第１洗濯バサミ構成体１４の中間部と第２洗濯バサミ構成体１６の中間部には対応してバネ取付開口３４が３個間隔を設けて貫通形成されている。これらバネ取付開口３４には前記リング状バネ１８がそれぞれ配設され、リング状バネ１８の一端部１８Ａは前記第１洗濯バサミ構成体１４に当接され、他端部１８Ｂは前記第２洗濯バサミ構成体１６に当接されるようになっている。
従って、前記第１挟持爪３０の先端部３０Ａと第２挟持爪３２の先端部３２Ａは常時前記リング状バネ１８によって当接するように付勢されているので、これら第１挟持爪３０と第２挟持爪３２は物干し竿３６を確実に挟持できるようになっている。
図１に示されるように、これらリング状バネ１８にはリング状のハンガー引掛用環体としてのハンガー引掛用リング４０が１個着脱可能に取り付けられている。このハンガー引掛用リング４０にはハンガー４２のフック部４２Ａを引っ掛けることができるようになっている。
図２に示されるように、前記ハンガー引掛用リング４０は半リング状のリング片４４とリング片４６から形成されピン４８によって連結されている。従って、リング片４４の先端部４４Ａとリング片４６の先端部４６Ａを当接させたり離間させたりすることができるようになっている。
【０００６】
次に、実施例のハンガー引掛洗濯バサミ１０の作用について説明する。
本考案のハンガー引掛洗濯バサミ１０を物干し竿３６に取り付ける場合は洗濯バサミ本体１２の第１把持部２４と第２把持部２６を接近するように指で強く摘む。
すると、リング状バネ１８の付勢力に抗して第１挟持爪３０の先端部３０Ａと挟持爪３２の先端部３２Ａが離間するので物干し竿３６を挟むことができると共に洗濯バサミ本体１２の第１把持部２４と第２把持部２６を強く摘むのを止めるとリング状バネ１８の付勢力により洗濯バサミ本体１２は物干し竿３６を確実に挟持することができる。
そして、洗濯物（図示せず）を吊り下げたハンガー４２のフック部４２Ａを前記ハンガー引掛用リング４０に引っ掛けることにより洗濯物を吊り下げたハンガー４２を簡単に引っ掛けることができる。
また、この状態で強い風が吹いた場合、前記洗濯バサミ本体１２は物干し竿３６を確実に挟持した状態でハンガー引掛洗濯バサミ１０は物干し竿３６に取り付けられているので、ハンガー４２が物干し竿３６をスライド移動してしまうことがないので物干し竿３６に複数のハンガー４２を引っ掛けてもハンガー４２同士は一定間隔を保持しているのでハンガー４２に吊り下げられた洗濯物が吹き寄せられて重なり合ってしまうことを確実に防止できる。
このため、ハンガー４２に吊り下げた洗濯物を効率良く乾かすことができる。
【０００７】
なお、実施例ではハンガー引掛洗濯バサミ１０を使用してハンガー４２を引っ掛ける場合だけを説明したが、ハンガー引掛洗濯バサミ１０の使用方法はこれに限定されるものではなく、例えばハンガー引掛洗濯バサミ１０を通常の洗濯バサミとして使用してもよいことは勿論である。
【０００８】
なお、実施例ではハンガー引掛洗濯バサミ１０の第１挟持爪３０及び第２挟持爪３２は３個形成したものを示したが、第１挟持爪３０及び第２挟持爪３２の数は２個以下でも４個以上でもよいことは勿論である。
また、実施例ではリング状バネ１８を３個設けたものを示したが、第１挟持爪３０の先端部３０Ａと第２挟持爪３２の先端部３２Ａを常時当接方向に付勢できればリング状バネ１８の数は３個に限定されるものでないことは勿論である。
なお、実施例ではハンガー引掛用リング４０はリング状に形成したが、他の形状でもよいことは勿論である。
【０００９】
【考案の効果】
本考案のハンガー引掛洗濯バサミは、第１挟持爪と第２挟持爪とで物干し竿を確実に挟持することができるので強い風が吹いても係止したハンガーがスライド移動してしまうことを防止でき、洗濯物を効率よく乾かすことができるという優れた効果を有する。
また、本考案のハンガー引掛洗濯バサミは、通常の洗濯バサミとしても使用することができるという優れた効果を有する。
【図面の簡単な説明】
【図１】実施例のハンガー引掛洗濯バサミの使用状態図である。
【図２】実施例のハンガー引掛洗濯バサミの斜視図である。
【図３】実施例のハンガー引掛洗濯バサミの側面図である。
【符号の説明】
１０　　ハンガー引掛洗濯バサミ
１２　　洗濯バサミ本体
１４　　第１洗濯バサミ構成体
１６　　第２洗濯バサミ構成体
２４　　第１把持部
２６　　第２把持部
３０　　第１挟持爪
３２　　第２挟持爪
３４　　バネ取付開口
４０　　ハンガー引掛用リング
【図１】
0003099210.tif 000003
【図２】
0003099210.tif 000004
【図３】
0003099210.tif 000005